(57)【要約】【課題】ビー玉封入型容器を提供する。【解決手段】本開示は、ビー玉の特性を生かしつつ、さらに瓶のキャップの容易な開栓、再閉栓、ならびに瓶に封入される内容物を注ぐのを妨げないビー玉封入型容器に関する。さらに、本開示は製品への消費者関与度を向上させ、製品ユーザ及びソーシャルネットワーク又は類似のソフトウェアアプリケーションを介してそのようなユーザと結びつきのある個人に関する特定情報の収集を容易にするモバイルアプリケーションを提供する。【選択図】図１
2020019572.tif 000002
【特許請求の範囲】
【請求項１】
ビー玉封入型容器であって、
容器本体から延在する容器であって、容器首部は容器内容物を分注するための開口部を含み、ビー玉は前記容器首部内に配置され、前記ビー玉は、前記容器首部内の前記開口部を塞ぎ、前記ビー玉はフレキシブルフランジにより固定される、容器と、
前記容器首部の開口部及び前記容器首部の部分の上に配置される捩れ可能に取外可能な外キャップと、
前記容器首部の外表面上に配置される固定キャップであって、前記捩れ可能に取外可能な外キャップは前記固定キャップに螺合可能に係合し、前記捩れ可能に取外可能な外キャップは回転により前記固定キャップから取り外されるように構成される、固定キャップと、
前記容器首部の前記開口部から延在するプランジャであって、前記捩れ可能に取外可能なキャップを捩じると、前記プランジャは首部容器に降下して前記ビー玉を前記フレキシブルフランジから離し、前記ビー玉が前記容器本体に落下する、プランジャと、を含む、容器。
【請求項２】
少なくとも前記ビー玉の一部分は、前記容器本体に封入される液体内容物内に溶解可能である、請求項１に記載のビー玉封入型容器。
【請求項３】
少なくとも前記ビー玉の部分は、溶解不能な膜で被覆され、前記溶解不能な膜は、前記ビー玉の表面を前記容器本体内に封入される液体内容物から分離し、前記ビー玉が前記フレキシブルフランジから離れると、前記膜が取り外され、前記ビー玉は前記容器本体内に封入された前記液体内容物に溶解する、請求項１に記載のビー玉封入型容器。
【請求項４】
前記ビー玉が溶解すると、前記液体内容物が変色する、請求項３に記載のビー玉封入型容器。
【請求項５】
前記ビー玉が溶解すると、前記液体内容物の風味が変わる、請求項３に記載のビー玉封入型容器。
【請求項６】
前記ビー玉が溶解すると、前記液体内容物内に栄養素が放出される、請求項３に記載のビー玉封入型容器。
【請求項７】
前記ビー玉の上かつ捩れ可能に取外可能なキャップの下に配置される可動格子をさらに備え、前記可動格子は、前記ビー玉が前記容器から外れるのを防ぐ、請求項１に記載のビー玉封入型容器。
【請求項８】
前記ビー玉の上かつ捩れ可能に取外可能なキャップの下に配置される可動格子をさらに備え、前記可動格子は、前記ビー玉が前記容器からの液体の流れを妨げることを防止する、請求項１に記載のビー玉封入型容器。
【請求項９】
システムであって、
制御装置と、
前記制御装置に連結され、前記制御装置によって実行可能なプログラム命令を記憶するように構成されるメモリと、を含み、
前記プログラム命令を実行することに応答して、前記制御装置は、
製品の作動情報を受信し、作動情報は前記製品が開封されたことを示し、
前記作動情報を前記製品に関連する企業体に通信するように構成される、システム。
【請求項１０】
前記製品は、前記製品の変化を検出するように構成される少なくとも１つのセンサをさらに備え、前記制御装置は、前記製品の変化を前記製品に関連する前記企業体とユーザに関連するモバイル機器のユーザインターフェースの少なくとも１つに通信するようにさらに構成される、請求項９に記載のシステム。
【請求項１１】
作動は、前記制御装置と通信するモバイル機器のユーザインターフェース上のユーザ操作をさらに含む、請求項９に記載のシステム。
【請求項１２】
前記作動情報は、作動の位置及び時間を含む、請求項９に記載のシステム。
【請求項１３】
作動すると、前記制御装置は、前記作動情報をユーザと通信するモバイル機器に関連するユーザインターフェースに通信するようにさらに構成される、請求項９に記載のシステム。
【請求項１４】
前記作動情報は、ユーザ情報を含む、請求項９に記載のシステム。
【請求項１５】
前記製品は、
容器本体から延在する容器であって、容器首部は容器内容物を分注するための開口部を含み、ビー玉は前記容器首部内に配置され、前記ビー玉は、前記容器首部内の前記開口部を塞ぎ、前記ビー玉はフレキシブルフランジにより固定される、容器と、
前記容器首部の開口部及び前記容器首部の部分の上に配置される捩れ可能に取外可能な外キャップと、
前記容器首部の外表面上に配置される固定キャップであって、前記捩れ可能に取外可能な外キャップは前記固定キャップに螺合可能に係合し、前記捩れ可能に取外可能な外キャップは回転により前記固定キャップから取り外されるように構成される、固定キャップと、
前記容器首部の前記開口部から延在するプランジャであって、前記捩れ可能に取外可能なキャップを捩じると、前記プランジャは首部容器に降下して前記ビー玉を前記フレキシブルフランジから離し、前記ビー玉が前記容器本体に落下する、プランジャと、を含む、請求項９に記載のシステム。
【請求項１６】
前記制御装置は、溶解情報を入手し、前記溶解情報をユーザと通信するモバイル機器に関連するユーザインターフェースに通信するようにさらに構成される、請求項１５に記載のシステム。
【請求項１７】
前記溶解情報は変色データを含み、前記溶解情報を通信することは、前記モバイル機器の前記ユーザインターフェース上に前記変色データを表示することを含む、請求項１６に記載のシステム。
【請求項１８】
前記溶解情報は風味変化のデータを含み、前記溶解情報を通信することは、前記モバイル機器の前記ユーザインターフェース上に前記風味変化のデータを表示することを含む、請求項１６に記載のシステム。
【請求項１９】
前記溶解情報を通信することは、前記ユーザに関連するソーシャルメディアアカウントと相互作用することを含む、請求項１６に記載のシステム。
【請求項２０】
前記製品はビー玉溶解を検出するように構成される少なくとも１つのセンサをさらに備え、前記制御装置は、前記センサを介して前記ビー玉の溶解情報を入手するようにさらに構成される、請求項１５に記載のシステム。
【発明の詳細な説明】
【技術分野】
【０００１】
関連出願の相互参照
本出願は、２０１７年２月２３日出願の米国特許第６２／４６２，５８２号を参照によって組み込み、それに対する優先権を主張する。
【背景技術】
【０００２】
本主題は一般に、瓶又は瓶のキャップに固着される、フレキシブルシールに対し保持する球体（「ビー玉」）を主対象とする、飲料を封入する設計に使用するビー玉封入型瓶に関する。
【０００３】
「ラムネ瓶」は元来、ハイラム・コッドが設計した製品であり、ビー玉及びゴム製ワッシャ／ガスケットを瓶の首部に封入する構造である。瓶を上下逆さに充填され、瓶内にガス（例：炭酸ガス）を入れると、その圧力でビー玉がワッシャに押し当てられ、炭酸ガスが封入される。瓶は、材料を絞るように特別な形状に加工され、瓶を開けた後にビー玉が押し出される空間を確保し、飲料を注ぐ又は飲むときに、ビー玉が首部を塞がないようにする。
【０００４】
従来のラムネ瓶を開ける際、瓶の面が頑丈であってかなりの圧力をかけなければ、力でビー玉を取り出すことは難しい。したがって、外出中や、子供及び／又は障がいを抱える人が、ラムネ瓶を開けるのは非常に困難である。従来モデルの瓶を開けるのが難しい上に、瓶を開けるとビー玉は、瓶から内容物を注いだり飲んだりする時に邪魔に感じる。さらにラムネ瓶は、一度開けると栓をすることはできない。
【０００５】
したがって、瓶のキャップを開け、再び栓をするのが容易で、新しいタイプの飲料に利用可能な、ビー玉封入型瓶を求める声が出ている。
【発明の概要】
【０００６】
本開示は、ビー玉の特性を生かしつつ、さらに瓶のキャップを開け、再び栓をするのが容易で、瓶に封入される内容物を注ぐのに邪魔にならないビー玉封入型容器を対象とし、さらには、溶解可能なビー玉及びモバイルアプリケーションを用いた、製品への消費者関与度の向上を目的とする。本開示は、瓶の他、液体を封入する他の任意の容器（例：缶、カートン等）にも適用されることを理解されたい。
【０００７】
１つの実施形態において、システムは、容器本体から延在する容器であって、容器首部は容器内容物を分注するための開口部を含み、ビー玉は容器首部内に配置され、ビー玉は、容器首部内の開口部を塞ぎ、ビー玉はフレキシブルフランジにより固定される、容器と、容器首部の開口部及び容器首部の部分の上に配置される取外可能な外キャップと、容器首部の外表面上に配置される固定キャップであって、捩れ可能に取外可能な外キャップは固定キャップに螺合可能に係合し、捩れ可能に取外可能な外キャップは回転により固定キャップから取り外されるように構成される、固定キャップと、容器首部の開口部から延在するプランジャであって、捩れ可能に取外可能なキャップを捩じると、プランジャは首部容器に降下してビー玉をフレキシブルフランジから離し、ビー玉が容器本体に落下する、プランジャと、を備えるビー玉封入型容器を含む。
【０００８】
１つの実施形態において、システムは、制御装置と、制御装置に連結され、制御装置によって実行可能なプログラム命令を記憶するように構成されるメモリと、を含み、前記プログラム命令を実行することに応答して、制御装置は、製品の作動情報を受信し、作動情報は前記製品が開封されたことを示し、作動情報を前記製品に関連する企業体及び／又は製品ユーザと通信するモバイル機器に通信するように構成される。
【０００９】
本開示は、ユーザが、捩り作用を利用して、ビー玉封入型瓶を容易に開けることができる利点を有する。したがって、瓶の面が頑丈でなくても、子供、高齢者、障がいを抱える人が簡単に瓶を開けることができる。瓶を開けた後、再び栓をすることができる利点は、外出時にはなお一層魅力的に感じるであろう。
【００１０】
本システムの利点は、瓶を開けた後、ビー玉がシールの端に触れないようにするため、瓶からの液体の流れを邪魔しないことにある。
【００１１】
さらに別の利点は、瓶に封入される液体にビー玉完全又は部分的に溶解可能にすることで、製品への消費者関与度を組み込むことである。ビー玉は、溶解する過程において、瓶に封入される液体製品に、着色作用、風味及び／又は栄養素を加えることがあり得る。
【００１２】
製品への消費者関与度のさらなる向上は、ユーザに製品知識を与え、娯楽や広告コンテンツを提供し、製品ユーザを製品に関連した企業体に結びつけ及び／又は製品ユーザ同士を結びつけ得るモバイルアプリケーションにより実現される。モバイルアプリケーションは、ユーザの電子機器の動作又は容器（例：瓶、缶、包装容器等）を開けるユーザ動作のいずれかで実現可能である。
【００１３】
実施例の追加の目的、利点及び新規の特長は、以下明細書で部分的に記載され、下記の記載内容及び添付図面を精査することで当業者には明らかとなり、又は実施例の作成又は作用により理解されるであろう。発明の概念の目的及び利点は、添付請求項で特に指摘される方法論、手段及び組み合わせにより実現・達成され得る。
【図面の簡単な説明】
【００１４】
図面により本発明の１つ以上の実施例を示すが、例示のみを目的としたものであり、制限するものではない。図面の参照番号は、すべての図表において類似又は同一の要素を示す。
【図１】図１は、従来のラムネ瓶の断面図を示す。
【図２】図２は、開示されたビー玉封入型瓶の実施形態の断面図を示す。
【図３】図３は、瓶を開けるために様々な要素の回転を示す、開示されたビー玉封入型瓶の実施形態の断面図を示す。
【図４】図４は、ビー玉が瓶から外れないようにする格子とビー玉が瓶内の内容物に触れないようにする溶解不能な膜を含む、開示されたビー玉封入型瓶の実施形態の断面図を示す。格子は、手動操作プランジャと組み合わせられる。
【図５】図５は、外キャップの回転により作動するプランジャと組み合わせられる、開示された格子を含む、開示されたビー玉封入型瓶の実施形態の断面図を示す。
【発明を実施するための形態】
【００１５】
本開示は、ビー玉の特性を生かしつつ、さらに瓶のキャップを開け、再び栓をするのが容易で、瓶に封入される内容物を注ぐのに邪魔にならないビー玉封入型容器を対象とする。さらに本開示は、製品への消費者関与度を向上させるため、溶解可能なビー玉及びモバイルアプリケーションを提供する。
【００１６】
図１は、従来のラムネ瓶を示す。図示の通り、従来のラムネ瓶は、取外可能なキャップを備える。取外可能なキャップを取り外した後、ユーザは、フレキシブルシールフランジにより固定されたビー玉を、フランジを通過して液体に押し出すことによって、手動操作プランジャを押し下げてビー玉を離すことができる。しかし、このようにプランジャを操作するには、相当の力を要し、瓶を開ける間、瓶が受ける面は頑丈を要するのが典型である（そのため、ユーザは、そのような表面に対し瓶を開ける力を加えることができる）。さらに、ラムネ瓶は一度開けると、再び栓をすることはできない。
【００１７】
図２は、捩り可能な外キャップ１２を含む、開示されたビー玉封入型瓶１０の実施例を示し、捩り可能な外キャップは、瓶首部１６の外面に配置される固定キャップ１４と螺合可能に係合する。本ビー玉封入型瓶内の取外可能なキャップは捩ることで取外しが可能なため、ユーザが力を加えて瓶を開ける間、瓶が受ける面は頑丈である必要がない。さらに、キャップは螺設されているため、ユーザは瓶を開けた後、再び栓をすることができる。
【００１８】
螺設された外キャップ１２は、異なる方向に螺設された１又は２つの部分で構成されるプランジャを備える。詳しくは、外キャップは右ネジでよく、プランジャは左ネジ（又はその反対）である。２つの部分で構成されるプランジャの設計に関して、外キャップ１２を回転すると、ディスク１８が反対方向に回転し、螺合可能に係合する。回転ディスク１８が移動すると、プランジャ１９が下方に押し下げられ、フレキシブルフランジ２２により固定されたビー玉２０を押し下げ、最終的にシールからビー玉が離れる。１つの部分で構成されるプランジャの設計に関して、プランジャ全体が回転し、下方に移動することで、最終的にビー玉を押し下げて離す。
【００１９】
図３に示す通り、捩り可能な外キャップ１２はユーザにより回転が可能で固定キャップ１４のネジにより上方に移動するとともに、ディスク１８は、瓶首部内でプランジャ１９が下方に移動する間、外キャップ内のネジにより反対方向に回転する。プランジャが下方に移動すると、最終的にシール用ビー玉２０に当たり、それに力が加わる。プランジャによりビー玉に力が加わると、ビー玉を、フレキシブルフランジ２２を通過するよう押し下げ、下方の飲料内容物に向かって落下させることができる。
【００２０】
図４は非回転プランジャ２８を示すが、プランジャは非回転又は回転式のいずれでもよいことを理解されたい。プランジャは、１つの部分、又は本明細書に上述かつ図５記載の通り、２つの部分１８及び１９から構成されるようにしてもよい。２つの部分で構成されるプランジャは、非回転部１９が、格子２６内の開口部を通過するように設計され得る利点を有する。例えば、プランジャ１９の非回転部は、ビー玉２０がフレキシブルフランジ２２に再度当たるのを防ぎ、ビー玉が瓶内に封入される液体の流れを邪魔しないように、格子２６と係合することが可能で、格子を下方に移動する。
【００２１】
ビー玉２０は、ガラス、プラスチック、金属製で、成分は体に無害なものとし、複数の成分を組み合わせてよい。ビー玉は、固体又は瓶内に封入される液体に溶解可能でよい。１つの実施例において、ビー玉は、部分的又は完全に溶解可能である。図４に示す１つの実施例において、溶解不能な膜２４は、ビー玉２０を部分的にでも囲み、溶解可能なビー玉の表面部分を瓶内に封入される液体から分離する。瓶を開けると、膜が破れてビー玉が液体に晒され、部分的にでも溶解する。
【００２２】
溶解可能なビー玉は、様々な利点を有する。最初に、瓶を開けてビー玉が溶解可能になると、ビー玉は瓶から注ぐ又は飲むことにもはや支障はなくなり、これは、部分的に溶解するビー玉が瓶から外れる場合も同様である。第二に、溶解するビー玉の新規性として、ユーザが目で見て楽しむことができる。例えば、ビー玉は、飲料内容物に溶けて色作用を示しうる。それとは別に、又はそれに加えて、ビー玉が飲料に溶けることで別の成分が加えられてもよい。１つの実施例において、ビー玉は溶けることで、風味、色、ビタミン、ミネラル及び／又は他の栄養素を放出しうる。
【００２３】
図４に示す通り、瓶１０は、ビー玉が瓶から外れるのを防ぐ格子２６を備える。格子は、繊維、プラスチック又は金属製でよい。格子は、瓶内で固定又は可動式のいずれかでよい。例えば、可動式格子は、プランジャ機構を移動させて取り除くことが可能で、格子は、瓶の底に向けて押し下げられ、ビー玉が瓶から出る及び／又は液体の流れを邪魔するのを防ぐことができる（すなわち、瓶を開けた後ビー玉は、格子と瓶の底の間に位置する）。格子は、固定キャップ、プランジャ、フレキシブルフランジの部分、又は別々の部分として構成可能である。格子は、ユーザの手による圧力で作動するプランジャ又は本明細書で上記に開示した外キャップを捩ることで作動するプランジャ等、様々なタイプのプランジャと組み合わせ可能である。図４は、手動操作プランジャ２８及び取外可能なキャップ３０と組み合わされる格子２６を示す。図５は、捩り可能なキャップ１２により作動する２つの部分から構成されるプランジャ機構１８及び１９と組み合わされる格子２６を示す。
【００２４】
本開示は、ユーザが製品又はその製品に関連する企業と関与できる制御装置と通信するモバイルアプリケーションも備える。モバイルアプリケーションは、コンピュータ機器（例：携帯電話、タブレット等）のユーザインターフェース上でユーザ操作により作動可能である。それとは別に、又はそれに加えて、モバイルアプリケーションは、製品（例：瓶、缶、容器、包装容器）を開けることで作動可能である。後者の機能は、ユーザが製品を開けると特定の信号を発信するようにプログラムされる製品に、無線送信機を取り付けることで実現可能である。一例として、このような送信機は、瓶のキャップに埋め込まれるものの、瓶の首部又は本体、缶の本体又はキャップ、堅い又は可撓性容器、箱、又は小袋等の製品の包装容器の他の部分、缶のプルタブ、フィルム、アルミ箔及び、包装容器で使われる他の包装材料等の保護材料に埋め込むことが可能であることを理解されたい。
【００２５】
モバイルアプリケーションは、ビー玉の溶解度合を追跡し、瓶を開けた後、色の強度の変化及び／又は飲料の味の変化を追跡し、ビー玉のフランジからの取り外しに関連する「球体落下」の効果を探知し、又はこれらの組み合わせを実行する。モバイルアプリケーションは、製品ユーザ間の相互作用、ゲーム性及び／又は製品販売促進の特長を含む、ソーシャルメディアの特性も含む。
【００２６】
モバイルアプリケーションは、製品の製造及び／又は販売する企業体が、製品ユーザに関する情報を収集可能にする特長も含む。このような情報は、ユーザの地理的位置、製品の使用日時、及び／又はモバイルアプリケーションの使用日時を含むが、これらに限定されない。
【００２７】
モバイルアプリケーションは、製品ユーザが関与するよう選択するモバイルアプリケーションの特長、ユーザが監視及び／又は相互作用するよう選択する広告又は販売促進コンテンツ、ユーザ装置ＩＤ、ＩＰアドレス、及びユーザ装置内のクッキーにより収集・記憶されるデータ等の製品ユーザによる動作に関連するデータを収集及び送信する。
【００２８】
さらに、モバイルアプリケーションは、製品ユーザの識別データ及びソーシャルネットワーク又は他のソフトウェアアプリケーションを介してそのような製品ユーザと結びつきのある個人の識別データを取得・送信する。
【００２９】
上述の通り、本明細書記載のシステム及び方法の特徴は、１つ以上の制御装置により制御される。１つ以上の制御装置は、様々な応用プログラムを実行し、関連データベースへのアクセス及び記憶データを含む、データをアクセス・記憶し、本明細書記載の通り、１つ以上の相互作用を可能にするよう適合させてもよい。制御装置は、１つ以上のプログラム可能なデータ処理装置により作動するのが典型である。このような装置のハードウェアの構成要素、オペレーティングシステム及びプログラム言語は、従来のものと変わらないため、当業者がそれらを適切に理解可能と推定されるであろう。
【００３０】
例えば、１つ以上の制御装置は、中央処理装置（ＣＰＵ）、メモリ及び相互接続バスを使用する中央制御処理システムのＰＣベースの機器でよい。ＣＰＵは、単一のマイクロプロセッサを備えてよく、又はＣＰＵを構成するための複数のマイクロプロセッサをマルチプロセッサシステムとして備えてよい。メモリは、ＰＲＯＭ、ＥＰＲＯＭ、ＦＬＡＳＨ−ＥＰＲＯＭ等の読出専用メモリと同様に、ダイナミックランダムアクセスメモリ（ＤＲＡＭ）及びキャッシュ等のメインメモリを備えてよい。システムは、揮発性又は不揮発性メモリの任意の形式を含んでよい。動作について、メモリは、少なくとも、ＣＰＵが実行する命令の部分及び実行される命令に一致する処理のためのデータを記憶する。
【００３１】
１つ以上の制御装置は、１つ以上の処理システムとの通信のための１つ以上の入力／出力インターフェースを含んでよい。図示されてはいないが、このような１つ以上のインターフェースは、ネットワークを介して通信を可能（例えば、電子的に命令を送受信可能）にする。通信リンクは、有線又は無線でよい。
【００３２】
１つ以上の制御装置は、制御装置の１つ以上のユーザインターフェースとして機能する、１つ以上の出力機構（例えば、モニタ、プリンタ、タッチスクリーン、動作感知入力装置等）及び１つ以上の入力機構（例えば、キーボード、マウス、音声、タッチスクリーン、生体電気機器、磁気リーダー、ＲＦＩＤリーダー、バーコードリーダー、動作感知入力装置等）と相互接続する適切な入力／出力ポートをさらに備えてもよい。例えば、１つ以上の制御装置は、出力機構を駆動するための画像サブシステムを備えてもよい。システムとの周辺装置のリンクは、有線接続又は無線通信でよい。
【００３３】
当業者は、ＰＣタイプの器具として上記に要約されているものの、１つ以上の制御装置が、ホストコンピュータ、サーバ、ワークステーション、ネットワーク端末等のシステムを包含すると理解するであろう。さらに、１つ以上の制御装置は、スマートフォン又はタブレットコンピュータ等のモバイル電子機器等の装置に組み込んでよい。「制御装置」の用語を使用する実際の意図は、当該技術分野で十分に理解されている広範囲の分野を示すことにある。
【００３４】
したがって、本明細書記載のシステム及び方法の特徴は、関連する機能を制御するためのハードウェア及びソフトウェアを包含する。ソフトウェアは、制御装置又は他のプログラム可能な装置が関連する工程を実行するためのコード又は実行可能な命令の形式をとり、コード又は命令は、制御装置又は他の装置により送信、又それ以外では、該装置により読み取り可能な媒体に記憶される。このような操作を実行するための命令又はコードは、任意の有形の読取可能媒体により記憶又は送信される、任意の形式（例えば、ソースコード、目的コード、インタプリタ型コード等）のコンピュータ命令の形式でよい。
【００３５】
本明細書記載の通り、コンピュータ又は装置「読取可能媒体」の用語は、実行する命令をプロセッサに与えることに関与する任意の媒体を指す。このような媒体の形式は複数でもよい。不揮発性の記憶媒体は、例えば、図面で示す任意のコンピュータの記憶装置等の光ディスク又は磁気ディスクを備える。揮発性の記憶媒体は、このようなコンピュータプラットフォームのメモリ等ダイナミックメモリを備える。したがって、コンピュータ読取可能媒体の一般的な形式は、例えば、フロッピーディスク、フレキシブルディスク、ハードディスク、磁気テープ、他の任意の磁気媒体、ＣＤ−ＲＯＭ、ＤＶＤ、他の任意の光メモリ、パンチカード紙テープ、孔のパターンを有する他の任意の物理媒体、ＲＡＭ、ＰＲＯＭ及びＥＰＲＯＭ、ＦＬＡＳＨ−ＥＰＲＯＭ、他の任意のメモリチップ又はカートリッジ、又は制御装置がプログラムコード及び／又はデータを読み取れる他の任意の媒体を備える。これら多くの形式のコンピュータ読取可能媒体は、実行する１つ以上の命令の１つ以上のシーケンスをプロセッサに送信する際に必要となり得る。
【００３６】
本明細書記載の実施形態の様々な変更及び修正が、当業者には明らかであることに留意すべきであろう。このような変更や修正は、本発明の趣旨及び範囲を逸脱することなく、又関連する利点を損なうことなく実施可能である。例えば、システム及び方法の様々な実施形態は、本明細書記載の主題に基づく特徴及び機能を様々組み合わせた上で、実施してもよい。
【図１】
2020019572.tif 000003
【図２】
2020019572.tif 000004
【図３】
2020019572.tif 000005
【図４】
2020019572.tif 000006
【図５】
2020019572.tif 000007
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
制御装置と、
前記制御装置に結合され、前記制御装置により実行可能なプログラム命令を記憶するように構成されたメモリと、
を備え、前記プログラム命令を実行することに応答して、前記制御装置は、
製品の活性化情報を受信し、前記活性化情報は、前記製品が開封されたことを示し、
前記活性化情報を前記製品に関連する企業体に通信する、
ように構成される、システム。
【請求項２】
前記製品は、さらに、前記製品内の変化を検出するように構成された少なくとも１つのセンサを含み、前記制御装置はさらに、前記製品内の変化を前記製品に関連する前記企業体およびユーザに関連するモバイルデバイスのユーザインターフェースの少なくとも１つに通信するように構成される、請求項１に記載のシステム。
【請求項３】
活性化はさらに、前記制御装置と通信しているモバイルデバイスのユーザインターフェース上のユーザ行為を含む、請求項１に記載のシステム。
【請求項４】
前記活性化情報は、活性化のロケーションと時間を含む、請求項１に記載のシステム。
【請求項５】
活性化すると、前記制御装置は、さらに、前記活性化情報を、ユーザと通信しているモバイルデバイスに関連するユーザインターフェースに通信するように構成される、請求項１に記載のシステム。
【請求項６】
前記活性化情報は、ユーザ情報を含む、請求項１に記載のシステム。
【請求項７】
前記製品は、
容器本体から延在する容器首部であって、前記容器首部は、容器内容物を分注するために開口部を含み、ビー玉は、前記容器首部内に配置され、前記ビー玉は、前記容器首部内の前記開口部を塞ぎ、前記ビー玉は、フレキシブルフランジにより固定される、容器と、
前記容器首部の開口部及び前記容器首部の部分の上に配置される、捩れ可能に取外し可能な外キャップと、
前記容器首部の外表面上に配置される固定キャップであって、前記捩れ可能に取外し可能な外キャップは、前記固定キャップに螺合可能に係合し、前記捩れ可能に取外し可能な外キャップは、回転により前記固定キャップから取り外されるように固定される、固定キャップと、
前記容器首部の前記開口部から延在するプランジャであって、前記捩れ可能に取外し可能な外キャップを捩じると、前記プランジャは、前記容器首部に降下して前記ビー玉を前記フレキシブルフランジから離し、前記ビー玉が前記容器本体に落下する、プランジャと、
を含み、
少なくとも前記ビー玉の一部分は、前記容器本体に封入される液体内容物に溶解可能である、請求項１に記載のシステム。
【請求項８】
前記制御装置は、溶解情報を取得し、前記溶解情報を、前記ユーザと通信しているモバイルデバイスと関連するユーザインターフェースに通信するように構成される、請求項７のシステム。
【請求項９】
前記溶解情報は、変色データを含み、前記溶解情報を通信することは、前記変色データを、前記モバイルデバイスの前記ユーザインターフェース上に表示することを含む、請求項８に記載のシステム。
【請求項１０】
前記溶解情報は、風味変更データを含み、前記溶解情報を通信することは、前記風味変更データを、前記モバイルデバイスの前記ユーザインターフェース上に表示することを含む、請求項８に記載のシステム。
【請求項１１】
前記溶解情報は、前記ユーザに関連するソーシャルメディアアカウントと相互作用することを含む、請求項８に記載のシステム。
【請求項１２】
前記製品は、さらに、ビー玉溶解を検出するように構成された少なくとも１つのセンサを含み、前記制御装置はさらに、前記センサを介して前記ビー玉の溶解情報を取得するようにさらに構成される、請求項７のシステム。
【請求項１３】
前記製品は、前記ビー玉の上かつ捩れ可能に取外し可能な外キャップの下に配置される可動格子をさらに含み、前記可動格子は、前記ビー玉が前記容器から外れるのを防ぐ、請求項７に記載のシステム。
【請求項１４】
前記製品は、前記ビー玉の上かつ捩れ可能に取外し可能な外キャップの下に配置される可動格子をさらに含み、前記可動格子は、前記ビー玉が前記容器からの液体の流れを妨げることを防止する、請求項７に記載のシステム。
【外国語明細書】
2020019572000001.pdf